(57)【特許請求の範囲】
【請求項１】
ケース（１）と、ケース上端に配置されて、まつ毛を上下に挟み保持するカーリングヘッド（２）とを備えており、
カーリングヘッド（２）は、ケース（１）の上端に設けられる基体（３）と、基体（３）に対して操作機構で接離操作される押圧具（４）とを含み、
鏡と向き合う状態で基体（３）と押圧具（４）との間にまつ毛を位置させ、押圧具（４）を基体（３）に接近スライドさせ、これら押圧具（４）と基体（３）とでまつ毛を挟持してくせ付けするまつ毛カーラーであって、
操作機構は、ケース（１）で出没可能に支持されて、前後方向に往復変位する操作具（１５）と、操作具（１５）の前後方向の往復動作を上下動作に変換する動作変換機構とを含み、
操作具（１５）の操作面（１５ａ）が、ケース（１）の顔側表面で、ケース（１）の上下方向の中心付近、ないし前記中心より上方に配置してあり、
押圧具（４）の往復動の移動方向が、ケース（１）の中心軸線に対して前記鏡の側へ向かって傾斜しており、押圧具（４）が往復動した際に該押圧具（４）の左右端の移動軌跡で規定される挟持平面（Ｓ）が、ケース（１）の中心軸線と該ケース（１）の左右水平方向とで規定される基準平面（Ｔ）に対して、上方に行くに従って、鏡の面に近づく方向に傾斜しており、
操作具（１５）の操作面（１５ａ）が、ケース（１）の顔側表面の左右中央を通る中心軸線上で、挟持平面（Ｓ）に沿って後傾する上壁（４１）の外壁面の延長平面とケース（１）の顔側表面で挟まれる領域（Ｚ）に配置してあり、
カーリングヘッド（２）に、くせ付け促進用のヒーター（５）が設けられており、
操作具（１５）の操作面（１５ａ）が配置された位置と同位置、ないし前記位置より上方のケース外面に、ヒーター（５）をオン・オフするスイッチ操作具（２８）が配置してあり、
ケース（１）の顔側表面に操作具（１５）が配置され、前記顔側表面以外のケース表面にスイッチ操作具（２８）が配置してあることを特徴とするまつ毛カーラー。
【請求項２】
スイッチ操作具（２８）が、ケース（１）の外郭線の内凹み部（４０）に配置してある請求項１記載のまつ毛カーラー。
【請求項３】
動作変換機構が、操作具（１５）の前後方向の往復動作を上下動作に変換する中間アーム（１６）と、中間アーム（１６）の動作を押圧具（４）に伝えるリンク（１７）と、リターンばね（１８）とで構成してある請求項１または２記載のまつ毛カーラー。
【請求項４】
中間アーム（１６）は、軸（２０）を介して揺動自在に軸支される第１アーム（１６ａ）と、操作具（１５）の動作を受け継ぐ第２アーム（１６ｂ）とでＶ字状に形成されており、
中間アーム（１６）は、操作具（１５）より上方に配置されて、第２アーム（１６ｂ）が軸（２０）より下方において操作具（１５）と接当する状態で支持してある請求項３記載のまつ毛カーラー。
【請求項５】
押圧具（４）とリンク（１７）とが、両者（４・１７）の間に設けたヒンジ部（２２）を介して一体に成形してある請求項３または４記載のまつ毛カーラー。
【請求項６】
基体（３）に断面くさび状のくせ付部（２５）が設けられ、押圧具（４）に先のくせ付部（２５）に対して接離する押圧体（２６）が設けられており、
押圧体（２６）の内部にヒーター（５）が埋設され、照明具（３０）からの放射光がくせ付部（２５）に向かって照射してある請求項３、４または５記載のまつ毛カーラー。
【発明の詳細な説明】
【０００１】
【発明の属する技術分野】
この発明は、まつ毛を押圧具と基体とで上下に挟んでくせ付けを行う、手動式のまつ毛カーラーに関する。
【０００２】
【従来の技術】
この種のまつ毛カーラーは特許第２９１６３６７号公報に公知である。そこでは、握りレバーの前後揺動動作を、第１レバーと第２レバーを介して上下方向の揺動動作に変換してスライドリンクに伝え、スライドリンクの上端に設けた押圧具を基体に対して接近スライドさせている。握りレバーと第１レバー、および第１レバーと第２レバーのてこ比は、いずれも後者レバーの揺動量が増えるように約２倍前後に設定してある。従って、握りレバーの揺動量を左程大きくする必要もなく、押圧具のスライドストロークを大きくできる。反面、握りレバーの操作に要する力は大きくなる。
【０００３】
【発明が解決しようとする課題】
上記のように、握りレバーの動作を、第１レバーと第２レバーを介してスライドリンクに伝える動作変換機構は、構成部材点数が多く、その分だけまつ毛カーラーの製造に要するコストが高くつく。スライドリンクと一体に形成した押圧具は、ケースでスライドのみ可能に案内支持されるが、押圧具のスライド方向とスライドリンクのリンク中心軸とがく字状に交差しているので、押圧具がガイド溝の一側に押しつけられて摩擦抵抗を生じ、押圧具を円滑に接離操作できないことがある。
【０００４】
握りレバーの動作量を第１・第２の各レバーで順次増幅する操作機構では、握りレバーの操作量の僅かな違いによって、押圧具のスライド量が大きく変化するのを避けられない。また、第２レバーは斜め下向きの待機状態から、上方揺動してスライドリンクを押し上げ操作する。そのため、握りレバーを一定量ずつ変位操作したとしても、第２レバーの縦方向の移動成分は揺動ストロークの終端に近づくほど大きくなる。つまり、押圧具のスライド量およびスライド速度は、スライドストロークの上端に近づくほど大きくなる。このように、押圧具のスライド量が次第に増加する操作機構においては、まつ毛を挟む直前に、押圧具が操作感覚とは無関係に急激に動くので、押圧具を使用者の意図どおりに操作するのが難しく、例えば、基体および押圧具によるまつ毛の挟み位置が狂ってしまうことがある。
【０００５】
この発明の目的は、操作機構の構造が簡単で、その構成部品を最小限化でき、しかも押圧具を軽快かつ円滑に操作できる、使い勝手のよいまつ毛カーラーを提供することにある。この発明の他の目的は、操作具をケースに対して押し込み操作するだけで、押圧具を基体に接近変位させて、まつ毛を押圧具と基体とで上下に挟んでくせ付けできるまつ毛カーラーを提供することにある。この発明の他の目的は、押圧具をくせ付け部に対してほぼ均一に接近移動できるようにし、これにより押圧具を使用者の操作感覚に一致させて、意のままに操作できるまつ毛カーラーを提供することにある。
【０００６】
【課題を解決するための手段】
この発明のまつ毛カーラーは、ケース１と、ケース上端に配置されて、まつ毛を上下に挟み保持するカーリングヘッド２とを備えている。カーリングヘッド２は、ケース１の上端に設けられる基体３と、基体３に対して操作機構で接離操作される押圧具４とを含む。このまつ毛カーラーは、鏡と向き合う状態で基体３と押圧具４との間にまつ毛を位置させ、押圧具４を基体３に接近スライドさせ、これら押圧具４と基体３とでまつ毛を挟持してくせ付けする。操作機構は、ケース１で出没可能に支持されて、前後方向に往復変位する操作具１５と、操作具１５の前後方向の往復動作を上下動作に変換する動作変換機構とを含む。操作具１５の操作面１５ａが、ケース１の顔側表面で、ケース１の上下方向の中心付近、ないし前記中心より上方に配置してある。
【０００７】
押圧具４の往復動の移動方向が、ケース１の中心軸線に対して前記鏡の側へ向かって傾斜しており、押圧具４が往復動した際に該押圧具４の左右端の移動軌跡で規定される挟持平面Ｓが、ケース１の中心軸線と該ケース１の左右水平方向とで規定される基準平面Ｔに対して、上方に行くに従って、鏡の面に近づく方向に傾斜している。操作具１５の操作面１５ａを、ケース１の顔側表面の左右中央を通る中心軸線上で、挟持平面Ｓに沿って後傾する上壁４１の外壁面の延長平面とケース１の顔側表面で挟まれる領域Ｚに配置する。
【０００８】
カーリングヘッド２に、くせ付け促進用のヒーター５を設ける。操作具１５の操作面１５ａが配置された位置と同位置、ないし前記位置より上方のケース外面に、ヒーター５をオン・オフするスイッチ操作具２８を配置する。
【０００９】
ケース１の顔側表面に操作具１５を配置し、前記顔側表面以外のケース表面にスイッチ操作具２８を配置する。
【００１０】
スイッチ操作具２８のそれぞれを、ケース１の外郭線の内凹み部４０に配置する。
【００１１】
動作変換機構は、操作具１５の前後方向の往復動作を上下動作に変換する中間アーム１６と、中間アーム１６の動作を押圧具４に伝えるリンク１７と、リターンばね１８とで構成する。
【００１２】
中間アーム１６は、軸２０を介して揺動自在に軸支される第１アーム１６ａと、操作具１５の動作を受け継ぐ第２アーム１６ｂとでＶ字状に形成する。中間アーム１６は、操作具１５より上方に配置して、第２アーム１６ｂが軸２０より下方において操作具１５と接当する状態で支持する。
【００１４】
押圧具４とリンク１７とは、両者４・１７の間に設けたヒンジ部２２を介して一体に成形する。
【００１５】
基体３に断面くさび状のくせ付部２５を設け、押圧具４に先のくせ付部２５に対して接離する押圧体２６が設けられており、押圧体２６の内部にヒーター５を埋設し、照明具３０からの放射光をくせ付部２５へ向かって照射する。
【００１６】
【発明の作用効果】
操作具１５の操作面１５ａを使用者の顔と対向する側、すなわち、ケース１の顔側表面で、ケース１の上下方向の中心付近か、これより上方に配置するので、ケース１を第２指から第５指と掌とで、確りと握り締めて固定した状態で保持し、その状態で親指により操作具１５を押し込み操作できる。これにより、操作具１５の押し込み操作に伴う、カーリングヘッド２の揺れ動きを確実に防止できるうえ、操作具１５の押し込み操作量を容易に加減できるので、押圧具４を軽快かつ円滑に操作できる、操作し易いまつ毛カーラーが得られる。操作具１５を親指で操作するので、他の指が操作具１５に挟み込まれる余地がない点でも有利である。
【００１７】
押圧具４の往復動の移動方向を、ケース１の中心軸線に対して前記鏡の側へ向かって傾斜させ、押圧具４が往復動した際に該押圧具４の左右端の移動軌跡で規定される挟持平面Ｓを、ケース１の中心軸線と該ケース１の左右水平方向とで規定される基準平面Ｔに対して、上方に行くに従って、鏡の面に近づく方向に傾斜させるので、使用時には図９に示すように、先の挟持平面Ｓを顔の表面に沿ってほぼ垂直にした状態でカーリングヘッド２を傾斜させることになる。従って、操作具１５に掛けた親指を、顔から十分に離れた位置に位置させて、指の動きが顔で邪魔されるのを防止し、その分だけくせ付け作業を意のままに行うことができる。
【００１８】
カーリングヘッド２に設けたヒーター５および照明具３０を制御するためのスイッチ操作具２８を、操作具１５の操作面１５ａが配置された位置より上方のケース外面に配置すると、使用状態において、ケース１を握った手でスイッチ操作具２８を誤って操作するおそれがなく、使用途中に、意に反してヒーター５や照明具３０が切り換わるような誤操作を一掃できる。
【００１９】
ケース１の顔側表面に操作具１５を配置し、前記顔側表面以外のケース表面にスイッチ操作具２８を配置しておくと、操作具１５とスイッチ操作具２８とを同時に、あるいは間違って操作し間違える事を防止でき、前項で述べたような誤操作をさらに確実に解消できる。また、スイッチ操作具２８のそれぞれを、ケース１の外郭線の内凹み部４０に配置しておけば、使用者が明確な意図の許に、ケース１を握り替えない限りは、スイッチ操作具２８を操作できないので、スイッチ操作具２８が誤って操作されるのをさらに確実に防止できる。
【００２０】
動作変換機構を、操作具１５の前後方向の往復動作を上下動作に変換する中間アーム１６と、中間アーム１６の動作を押圧具４に伝えるリンク１７と、リターンばね１８とで構成するので、２個の揺動レバーで動作変換を行う従来の機構に比べて操作機構をコンパクト化できるうえ、操作機構が収容されるケース１を小型化できる。また、操作機構の構成部品点数が増えるのを避けてまつ毛カーラーの製造に要するコストを節約できる。
【００２１】
軸２０を介して揺動自在に軸支される第１アーム１６ａと、操作具１５の動作を受け継ぐ第２アーム１６ｂとでＶ字状に形成した中間アーム１６を、操作具１５より上方に配置して、第２アーム１６ｂが軸２０より下方において操作具１５と接当する状態で支持すると、動作変換機構の全体を、操作具１５より上方にコンパクトにまとめて構成できる。操作具１５の構造や、動作量が種々に異なる場合にも、両アーム１６ａ・１６ｂの長さの比を変更するだけで、押圧具４の移動量を適正化できるので、設計の自由度が高い操作機構とすることができる。
【００２２】
とくに、ボタン状の操作具１５をケース１で出没自在にスライド案内する操作機構においては、操作具１５より下側に大きな空間を確保できるので、この空間を利用して電池８を収容するなど、ケース１の内部空間を有効に利用できる。  
【００２３】
押圧具４とリンク１７とをヒンジ部２２を介して一体に成形した操作機構によれば、操作機構の構造を簡素化できるうえ、リンク１７の移動方向と押圧具４の移動方向が交差していても、ヒンジ部２２で力の方向を変換して押圧具４に伝えられるので、押圧具４がリンク１７でケース１のガイド面に強く押しつけられて摩擦抵抗を生じるのを解消でき、従って押圧具４を軽快かつ円滑にスライド操作できる。
【００２４】
【実施例】
図１ないし図９はこの発明に係るまつ毛カーラーの実施例を示す。まつ毛カーラーは、グリップを兼ねる縦長筒状のケース１を有し、その上端にまつ毛を上下に挟み保持してくせ付けするためのカーリングヘッド２を有する。カーリングヘッド２は、ケース１に固定される基体３と、基体３に対して接離スライドする押圧具４とからなり、押圧具４の内部に、後述する押圧体２６とくせ付け促進用のヒーター５と、ヒーター５の温度状態を検出するサーミスター（温度センサー）６とを配置する（図１参照）。基体３と押圧具４との挟持平面Ｓ、すなわち、押圧具４が接離スライドするときのスライド平面は、図１に示すようにケース１の筒中心軸線を通る基準平面Ｔに対してケース後面（鏡側表面）へ向かって後傾してある。
【００２５】
ケース１の内部は、下半側の電池室と、上半側の機構部室とに大別でき、電池室の内部に２個の電池８を収容し、機構部室の内部に押圧具４を接離操作するための操作機構を収容している。ケース１は、蓋合わせ状に接合される前ケース１ａと後ケース１ｂ、および両ケース１ａ・１ｂの下半外面にケース下方側から外嵌される筒ケース１０と、筒ケース１０に下側から外嵌される透明の化粧ケース１１とで構成する。図示していないが、筒ケース１０と化粧ケース１１との間には装飾シートが介装してある。筒ケース１０と化粧ケース１１を同時に抜き外すと、後ケース１ｂの下端に切り欠いた出入口１２が露出するので、この出入口１２から電池１０を出し入れできる。
【００２６】
操作機構は、操作ボタン（操作具）１５と、動作変換機構、すなわち、操作ボタン１５の出没動作に連動して前後に往復揺動する中間アーム１６、および中間アーム１６の動きを押圧具４に伝えるリンク１７と、中間アーム１６を操作ボタン１５へ向かって押し付け付勢するリターンばね１８などで構成する。操作ボタン１５は、その操作面１５ａが使用者の顔と対向する状態で前ケース１ａの側に配置し（図９参照）、後ケース１ｂの内面に固定したガイドピン１９で出没スライドのみ自在に案内支持する。さらに詳しくは、使用時の親指の動きが顔で邪魔されるのを防ぐために、先の操作ボタン１５は、図６に示すようにケース１の顔側表面の左右中央を通る中心軸線上で、挟持平面Ｓに沿う上壁４１の外面壁の延長平面とケース１の顔側表面で挟まれる領域Ｚ（図９参照）に配置してある。なお、先の上壁４１の内壁面は、押圧具４の移動用ガイドとして利用している。このように配置した操作具１５は、先のリターンばね１８のばね力を、中間アーム１６を介して受けるので、前ケース１ａから突出する向きに常時進出付勢されている。
【００２７】
中間アーム１６は、第１アーム１６ａと第２アーム１６ｂとを有する側面視がＶ字状の屈折アームからなり、上方の第１アーム１６ａの遊端を前ケース１ａでピン２０を介して揺動自在に軸支し、第２アーム１６ｂの遊端を操作ボタン１５の内端面に設けた座部１５ａに連接する。つまり、中間アーム１６は、操作具１５より上方に配置されて、第２アーム１６ｂが軸２０より下方において操作具１５と接当する状態で支持してある。使用時における押圧具４のスライド速度を操作具１５の押し込み量にほぼ比例させるために、第１アーム１６ａと第２アーム１６ｂとのアーム比を、1.２〜1.７に設定する。このアーム比が1.２より小さいと、操作具１５の前後ストロークを大きくせざるを得ず、ケース１の前後厚みが増す。逆に、アーム比を1.７より大きくすると、操作具１５の前後ストロークは小さくできるものの、押圧具４の移動速度が、ストローク上端に近づくほど速くなるので、使用しづらくなる。より好ましいアーム比としては、1.２５〜1.５とする。リンク１７と中間アーム１６とは、アームの屈折端においてピン２１で連結し、リンク１７と押圧具４とは、ヒンジ部２２を介して連結する。この実施例では、押圧具４とヒンジ部２２とリンク１７の三者を一体成形して、構成部品点数を削減できるようにした。
【００２８】
基体３は、ベース部２３と、ベース部２３の左右両側から立設される一対の腕部２４と、両腕部２４の突端どうしを繋ぐくせ付部２５とを一体に成形した透明なプラスチック成形品からなる。くせ付部２５は断面くさび状に形成してあり、全体がケース後面へ向かって外凸状に湾曲し、しかも上まぶたのまつ毛に沿って上凸状に湾曲するように形成してある。次に説明する顔側の上壁４１も、くせ付部２５と同様に、全体がケース前面から見て内凹み状に湾曲している（図２参照）。
【００２９】
押圧具４は、前後ケース１ａ・１ｂの上端の上壁４１およびガイド壁４２で往復スライドのみ自在に案内支持し、その上部に凹み形成した装着凹部４ａに、基体３のくせ付部２５と接離する押圧体２６を内嵌装着する。押圧体２６は上端に断面Ｖ字状の溝２７が形成してある、耐熱ゴム製の成形品からなる。押圧体２６の内部には、図１に示すようにヒーター５を組み、押圧体２６の下面中央にサーミスター６を配置する。図３に示すように、ケース１の上部一側には電源スイッチ（スイッチ操作具）２８を設ける。詳しくは、操作具１５の操作面１５ａが配置された位置より上方で、しかもケース１の外郭線の側面側の内凹み部４０（図６参照）に電源スイッチ２８を配置している。電源スイッチ２８の誤操作を防ぐためである。このスイッチ２８を上方スライドしてオン操作するとヒーター５に通電できる。なお、内凹み部４０は図２に示すように、ケース１の全周にわたって括れている。
【００３０】
照明が不十分な状況下においても、まつ毛のくせ付けを確実に行うために、ケース１の側にカーリングヘッド２を照らすための照明具３０を設ける。照明具３０は発光ダイオードからなり、基体３のベース部２３の左右中央に開口した投光口３１に臨んで配置し固定する。このように、照明具３０をケース１の前面上部に設けることにより、照明具３０から放射される照射光を基体３の鏡側表面に沿って投射し、くせ付部２５の左右幅方向の中央付近を集中的に照らすことができる。
【００３１】
先の、くせ付け促進用のヒーター５の発熱温度を適温状態に維持するために、図７に示すように制御回路３４を設け、さらに、ヒーター５が適温であることを表示するための表示灯３５を設けている。この実施例においては、先の照明具３０が表示灯３５を兼ねている。図８に示すように、制御回路３４は電源スイッチ２８のオン操作と同時にヒーター５への通電を開始する。ヒーター５の温度が適温（７０〜６８℃）になると、サーミスター（負特性）６の抵抗値が減少し、その印加電圧が増加する。この電圧変化を制御回路３４で受けて表示灯３５、すなわち照明具３０を点灯させる。以後は、ヒーター５の温度変化に伴うサーミスター６の印加電圧の変化を受けて、ヒーター５への通電を断続し、その温度を適温に維持する。電源スイッチ２８をオフ下後、ヒーター５が低温になるまでの間照明具３０を点灯し続けて、使用者の注意を促すために、電源オフと同時にタイマー３６で計時を開始し、一定時間が経過して始めて照明具３０を消灯できるようにしている（図８参照）。
【００３２】
使用者は照明具３０の点灯を待って、まつ毛のくせ付けを行う。詳しくは、図９に示すように、鏡と向き合い、基体３と押圧具４との間にまつ毛を位置させた状態で、操作ボタン１５を押し込んで押圧具４を基体３に接近スライドさせ、押圧体２６とくせ付部２５とでまつ毛を挟持する。この時、まつ毛カーラーは、挟持平面Ｓに沿う上壁４１が、ほぼ顔の表面に沿って垂直になる状態で使用される。従って、挟持平面Ｓとケース１の顔側表面で挟まれる領域に操作ボタン１５配置しておけば、それを押し込み操作する親指が、顔に当たって動きを阻害されるのを防止でき、くせ付け作業を手際よく行える。また、上壁４１に下まぶたの近傍を当てがいながらくせ付け作業を行うことにより、カーラーをぐらつくことなく安定した状態で操作できる。操作ボタン１５の押し込み力を解放すると、押圧具４はリターンばね１８のばね力を受けてケース１内へ退入し、操作ボタン１５はケース外へ突出して待機状態へ復帰する。
【００３３】
操作機構は図１０ないし図１３に示すように変更できる。図１０においては、下端が軸３７で前後揺動自在に支持された握りレバー（操作具）１５を設け、これで中間アーム１６を揺動操作するようにした。このように、操作具１５はレバーやアームで形成できる。
【００３４】
図１１においては、第２アーム１６ｂを第１アーム１６ａの中途部から突設して、中間アーム１６をＴ字状に形成した。同様に、中間アーム１６は、図１２に示すように三角形状に形成し、あるいは図１３に示すようにＶ字状に形成することができる。
【００３５】
上記の実施例以外に、この発明はヒーター５を備えていないまつ毛カーラーにも適用できる。その場合には、照明具３０用に１個の電池８と点滅スイッチ（スイッチ操作具）を備えていれば足り、先の実施例におけるスイッチ２８を、点滅スイッチとすることができる。もちろん、これらのスイッチは複数個設けることができる。図６に符号２８ａで示すようにスイッチ操作具は、操作ボタン１５の下端を通る水平面Ｈより上方に配置してあればよく、このように操作ボタン１５に隣接配置した場合にも、誤操作や外力の影響を受けることはない。スイッチ操作具２８は、ケース１の後面側や、実施例で配置した側面と対向する側の側面に設けることができる。照明具３０は、操作ボタン１５の押し込み動作に連動して点灯させることができる。基枠３はケース１と一体に成形してあってもよい。基枠３はベース部２３を省いて形成することができ、その場合には、照明具３０をケース１に固定する。この発明における押圧具４は、基枠３の側、例えば左右一対の腕部２４で上下スライド自在に案内支持することができる。なお、ヒーター５の電源としては、商用電源を利用することができ、この場合にはケース１から給電用コードを導出する。
【図面の簡単な説明】
【図１】まつ毛カーラーの上半部の縦断側面図である。
【図２】まつ毛カーラーの全体斜視図である。
【図３】まつ毛カーラーのカーリングヘッド部の斜視図である。
【図４】まつ毛カーラーの縦断側面図である。
【図５】カーリングヘッドの背面図である。
【図６】まつ毛カーラーの全体正面図である。
【図７】まつ毛カーラーに付属する電装品のブロック図である。
【図８】電装品の動作タイミングを示すタイミングチャートである。
【図９】まつ毛カーラーの使用状態を示す説明図である。
【図１０】操作機構の別実施例を示す縦断側面図である。
【図１１】操作機構のさらに別実施例を示す縦断側面図である。
【図１２】操作機構のさらに別実施例を示す縦断側面図である。
【図１３】操作機構のさらに別実施例を示す縦断側面図である。
【符号の説明】
１  ケース
２  カーリングヘッド
３  基体
４  押圧具
１５  操作具
１６  中間アーム
１６ａ  第１アーム
１６ｂ  第２アーム
１７  リンク
１８  リターンばね
２５  くせ付部
２６  押圧体
【図１】
0004507144.tif 000002
【図２】
0004507144.tif 000003
【図３】
0004507144.tif 000004
【図４】
0004507144.tif 000005
【図５】
0004507144.tif 000006
【図６】
0004507144.tif 000007
【図７】
0004507144.tif 000008
【図８】
0004507144.tif 000009
【図９】
0004507144.tif 000010
【図１０】
0004507144.tif 000011
【図１１】
0004507144.tif 000012
【図１２】
0004507144.tif 000013
【図１３】
0004507144.tif 000014